(57)【要約】【課題】停電からの復帰時に、洗剤自動投入装置による洗剤過剰投入を防止すること。【解決手段】外郭カバー１３内に配設され収容された液体洗剤１５を所定のタイミングで自動的に水槽３に投入する洗剤自動投入装置３０と、各種情報を記憶する記憶手段と、洗剤自動投入装置３０に設けられた液体洗剤１５を収容する洗剤タンク１６と、洗剤タンク１６内の液体洗剤１５を液体洗剤排出口１９ａから給水経路１２に送り出すエアポンプ１８とを備え、運転開始時において、前回運転時に停電で終了した情報が記憶手段にあった場合に、前記停電が洗い行程運転時であり、かつ、洗剤自動投入装置３０により液体洗剤１５が投入されていた場合は、洗剤自動投入装置３０を動作させずに洗い行程を運転する構成とすることにより、洗剤を無駄に消費することを防止し、過剰に投入することによる機外への水漏れを防止することができる。【選択図】図１
2020162819.tif 000002
【特許請求の範囲】
【請求項１】
外郭と、前記外郭内に弾性支持された水槽と、前記水槽に回転自在に内包された洗濯兼脱水槽と、前記洗濯兼脱水槽を回転駆動するモータと、収容された液体洗剤を所定のタイミングで自動的に投入する洗剤自動投入装置と、前記外郭に設けられ、運転コースなどの入力設定や入力情報などの表示を行なう操作表示部と、洗い、すすぎ、脱水などの一連の行程を逐次制御する制御装置とを備え、前記制御装置は、運転開始時において、前記記憶手段に前回運転時に停電で終了した情報を保有している場合に、前記停電が洗い行程運転時であり、かつ、前記洗剤自動投入装置により液体洗剤が投入されていた場合は、洗剤自動投入装置を動作させずに洗い行程を運転する洗濯機。
【発明の詳細な説明】
【技術分野】
【０００１】
本発明は、洗濯物を洗濯する洗濯機に関する。
【背景技術】
【０００２】
従来、この種の洗濯機では、液体洗剤を予め蓄えた洗剤タンクから、自動的に洗濯兼脱水槽に投入する構成が提案されている（例えば、特許文献１参照）。
【０００３】
図３は、特許文献１に記載された従来の洗濯機の縦断面図である。
【０００４】
図３において、洗濯物を収容する洗濯兼脱水槽１は、内底面に撹拌翼２を回転自在に配設し、洗濯兼脱水槽１は、水槽３に回転自在に内包されている。
【０００５】
水槽３の外底面には、洗濯兼脱水槽１と撹拌翼２を駆動するモータ４を取りつけ、駆動部の切り替えを行うクラッチ装置５を介して洗濯兼脱水槽１または撹拌翼２を駆動するように構成されている。
【０００６】
また、水槽３は、外郭６にサスペンション７を介して防振支持されている。され洗濯兼脱水槽１の上部には、液体を内封した振動低減用の流体バランサー８を固定し、水槽３の上面は、水槽カバー９によって覆われている。
【０００７】
外郭６の上部は、制御装置４０、給水弁１１、給水経路３２等を配設した外郭カバー１３によって覆われている。外郭カバー１３の略中央には、衣類の出し入れを行う衣類投入用開口部を有し、この衣類投入用開口部を覆うように蓋体４２を開閉自在に配設している。
【０００８】
また、水槽３外底部には排水弁２０が設けられ、水槽３内の水を機外へ排水するようになっている。
【０００９】
そして、外郭カバー１３内に、洗液体洗剤３５を投入する洗剤自動投入装置４３が配設されている。
【００１０】
洗剤自動投入装置４３は、液体洗剤３５と洗剤タンク３６と洗剤投入装置３９とで構成し、洗剤タンク３６の補給口３７をキャップ３８によって覆い、洗剤投入装置３９は、自動ポンプにより洗剤タンク３６内の液体洗剤３５を洗濯兼脱水槽１内に投入するもので、制御装置４０により動作を制御される。
【００１１】
以上の構成にて、洗剤タンク３６内に液体洗剤３５を収容し、この洗剤タンク３６を外郭カバー１３内に取り付けておき、洗濯兼脱水槽１内に洗濯物を投入し、運転を開始すると、洗濯兼脱水槽１内に投入された衣類等の洗濯物の量に適した水量を給水弁１１から給水経路３２を通して水槽３に給水すると同時に、制御装置４０は洗剤投入装置３９を駆動し、洗剤タンク３６内の液体洗剤３５を洗濯兼脱水槽１内に所定の量だけ投入する。その後、制御装置４０によりモータ４、給水弁１１などの動作を制御し、洗濯物を洗濯した後、すすぎ、脱水を行なう。
【先行技術文献】
【特許文献】
【００１２】
【特許文献１】特開２００４−３１３２３４号公報
【発明の概要】
【発明が解決しようとする課題】
【００１３】
しかしながら、前記従来の構成では、洗濯機が動作中に何らかの原因によって停電した後、再起動することが想定される。
【００１４】
例えば、洗い行程の動作中に停電し、再起動を行った場合に、一度洗剤を投入しているにも関わらず、再度洗い行程を始めからやり直すため、もう一度洗剤が投入される。一度の洗濯動作に二度洗剤が投入され、洗剤の過剰な投入により、槽内が過剰に泡立ち、機外へ水漏れする虞がある。
【００１５】
本発明は、前記従来の課題を解決するもので、洗剤自動投入装置が運転開始時及び停電復帰時の状態に応じて、洗剤自動投入装置の動作を変更し、停電動作復帰時で、かつ、洗剤自動投入装置が一度動作していた場合には、復帰時の洗い行程動作の際に、再度洗剤自動投入装置を動作させないことにより、洗剤を無駄に消費することを防止し、過剰に投入することによる機外への水漏れを防止する洗濯機を提供することを目的とする。
【課題を解決するための手段】
【００１６】
前記従来の課題を解決するために、本発明の洗濯機は、外郭と、前記外郭内に弾性支持された水槽と、前記水槽に回転自在に内包された洗濯兼脱水槽と、前記洗濯兼脱水槽を回転駆動するモータと、収容された液体洗剤を所定のタイミングで自動的に投入する洗剤自動投入装置と、前記外郭に設けられ、運転コースなどの入力設定や入力情報などの表示を行なう操作表示部と、洗い、すすぎ、脱水などの一連の行程を逐次制御する制御装置とを備え、前記制御装置は、運転開始時において、前記記憶手段に前回運転時に停電で終了した情報を保有している場合に、前記停電が洗い行程運転時であり、かつ、前記洗剤自動投入装置により液体洗剤が投入されていた場合は、洗剤自動投入装置を動作させずに洗い行程を運転する構成としたものである。
【００１７】
これにより、洗剤を無駄に消費することを防止し、過剰に投入することによる機外への水漏れを防止することができる。
【発明の効果】
【００１８】
本発明の洗濯機は、停電から復帰した場合において、洗剤を無駄に消費することを防止し、過剰に投入することによる機外への水漏れを防止することができる。
【図面の簡単な説明】
【００１９】
【図１】本発明の実施の形態における洗濯機の縦断面図
【図２】同洗濯機の制御アルゴリズムを示すフローチャート
【図３】従来の洗濯機の縦断面図
【発明を実施するための形態】
【００２０】
第１の発明は、外郭と、前記外郭内に弾性支持された水槽と、前記水槽に回転自在に内包された洗濯兼脱水槽と、前記洗濯兼脱水槽を回転駆動するモータと、収容された液体洗剤を所定のタイミングで自動的に投入する洗剤自動投入装置と、前記外郭に設けられ、運転コースなどの入力設定や入力情報などの表示を行なう操作表示部と、洗い、すすぎ、脱水などの一連の行程を逐次制御する制御装置とを備え、前記制御装置は、運転開始時において、前記記憶手段に前回運転時に停電で終了した情報を保有している場合に、前記停電が洗い行程運転時であり、かつ、前記洗剤自動投入装置により液体洗剤が投入されていた場合は、洗剤自動投入装置を動作させずに洗い行程を運転する構成とするものである。
【００２１】
これにより、洗剤を無駄に消費することを防止し、過剰に投入することによる機外への水漏れを防止することができる。
【００２２】
以下、発明の実施の形態について、図面を参照しながら説明する。なお、従来例と同じ構成のものは同一符号を付して説明を省略する。また、この実施の形態によって本発明が限定されるものではない。
【００２３】
（実施の形態１）
図１は、本発明の実施の形態における洗濯機の縦断面図である。
【００２４】
図１において、外郭６の上部に配設された外郭カバー１３の略中央部には蓋体１４が開閉自在に設けられ、外郭カバー１３内には、洗剤自動投入装置３０が配設されている。
【００２５】
洗剤自動投入装置３０は、液体洗剤１５を溜めた洗剤タンク１６を設け、この洗剤タンク１６の上部にはエアホース１７を介して洗剤タンク１６内に空気を送り込むエアポンプ１８を接続している。
【００２６】
また、洗剤タンク１６の下部には、洗剤タンク１６から給水経路１２まで液体洗剤を導き、先端に液体洗剤排出口１９ａを設けた洗剤ホース１９を接続している。なお、液体洗剤１５は、洗剤タンク蓋１６ａを開けて補充可能である。
【００２７】
外郭カバー１３の前面部内方に配設した制御装置１０は、洗剤自動投入装置３０のエアポンプ１８の動作を制御して、洗剤タンク１６内の液体洗剤１５を水槽３内に投入するとともに、モータ４、クラッチ装置５、給水弁１１、排水弁２０などの動作を制御し、洗い、すすぎ、脱水の一連の行程を逐次制御する。
【００２８】
また、運転コース等のモードや各種機能の選択は、外郭カバー１３の前面部に配した操作表示部２１のスタートスイッチや各種ボタンを有する入力設定手段（図示せず）から使用者が入力して行い、制御装置１０が、その入力情報を基に、表示手段（図示せず）で表示して使用者に知らせる。
【００２９】
以上の構成にて、洗い行程では、洗濯兼脱水槽１内に投入された衣類等の洗濯物の量に適した水量を給水弁１１から給水経路１２を通して水槽３に給水する。
【００３０】
また、衣類投入時または給水時とほぼ同時にエアポンプ１８に通電してエアホース１７を介して洗剤タンク１６の上部へ空気を送る。これにより、洗剤タンク１６の内部の圧力が高くなり、洗剤タンク１６内の液体洗剤１５は洗剤ホース１９を通って液体洗剤排出口１９ａから給水経路１２へ押し出され、給水弁１１から流入する水とともに洗濯兼脱水槽１内に投入される。
【００３１】
以上のように構成された洗濯機について、以下、その動作、作用を説明する。
【００３２】
図２は、本実施の形態における洗濯機の制御アルゴリズムを示すフローチャートである。
【００３３】
図２において、洗濯兼脱水槽１に洗濯物が投入された後、操作表示部２１にて電源が投入されると、初めに記憶手段（図示せず）によって前回の電源遮断の状態が、正常に運転が行われ終了して電源が遮断されたのか、あるいは、停電によるものかを判断する（ステップＳ１）。停電復帰時でない場合（ステップＳ１のＮｏ）は、ステップＳ２に移り、使用者が操作表示部２１で運転コースを選択してスタートスイッチ（図示せず）を押すと、
モータ４が小刻みに駆動して布量検知が行われ（ステップＳ３）、布量に応じた水位まで給水が行われ（ステップＳ４）、給水と同時に、洗剤自動投入装置３０のエアポンプ１８を駆動して水位(給水量)に応じた液体洗剤１５が洗濯兼脱水槽１に投入される（ステップＳ５）。そして、行程が進行していく。
【００３４】
前回の電源遮断の状態が、停電による遮断であった場合は（ステップＳ１のＹｅｓ）、次に停電時の状態を確認する（ステップＳ６）。
【００３５】
停電時に、洗い行程で停電していたかどうかを判断し（ステップＳ７）、洗い行程動作中に停電が発生していなかった場合は（ステップＳ７のＮｏ）、スタートスイッチが押されると（ステップＳ１０）、停電時の状態から運転を継続する。
【００３６】
停電時に、洗い行程で停電していた場合は（ステップＳ７のＹｅｓ）、その動作までに洗剤が自動投入されている状態か、されていない状態なのかを判断し（ステップＳ８）、洗剤がまだ投入前の段階であれば（ステップＳ８のＮｏ）、スタートスイッチが押されると（ステップＳ１２）、洗剤を自動投入して（ステップＳ５）、行程が進行していく。
【００３７】
ステップＳ８の段階で洗剤が自動投入されていた場合は（ステップＳ８のＹｅｓ）、スタートスイッチが押されると（ステップＳ９）、洗剤の投入を行わずに洗い行程での洗い撹拌を実施し（ステップＳ１０）、洗い行程が終了したら、次行程へ移行する。
【００３８】
以上の制御により、停電から復帰した時に、一度洗剤を投入しているにも関わらず、再度洗い行程を始めからやり直した為に、もう一度洗剤を投入するという不具合が発生することも防止でき、これにより、槽内が過剰に泡立ち、機外へ水漏れしてしまうということも防止することができる。
【００３９】
以上のように、本実施の形態においては、運転開始時において、前回運転時に停電で終了した情報が記憶手段にあった場合に、前記停電が洗い行程運転時であり、かつ、洗剤自動投入装置３０により液体洗剤１５が投入されていた場合は、洗剤自動投入装置３０を動作させずに洗い行程を運転する構成とすることにより、洗剤を無駄に消費することを防止し、過剰に投入することによる機外への水漏れを防止することができる。
【００４０】
なお、本実施の形態では、縦型洗濯機を例にとり説明したが、ドラム式洗濯機に採用してもよい。
【産業上の利用可能性】
【００４１】
以上のように、本発明にかかる洗濯機は、電源投入時及び停電復帰時において、その際の状態に合わせて洗剤自動投入装置の動作を変更することにより、洗剤の貯留残量が無駄に減少することを防止し、また、洗剤を過剰に投入してしまうことで、槽内が過剰に泡立ち機外へ水漏れすることを防止することが可能となるので、ドラム式など他洗濯機の用途に適用できる。
【符号の説明】
【００４２】
１  洗濯兼脱水槽
２  撹拌翼
３  水槽
４  モータ
６  外郭
１０  制御装置
１１  給水弁
１２  給水経路
１３  外郭カバー
１５  液体洗剤
１６  洗剤タンク
１８  エアポンプ
１９ａ  液体洗剤排出口
２１  操作表示部
３０  洗剤自動投入装置
【図１】
2020162819.tif 000003
【図２】
2020162819.tif 000004
【図３】
2020162819.tif 000005